(57)【特許請求の範囲】
【請求項１】
コネクタ密閉ハウジング（３）内へ導入することができ、コネクタ面（９）を有する中間ハウジング（１、２）であって、
前記コネクタ面（９）に関して複数のコンタクト受容部材（７、７’）が開いており、
前記中間ハウジング（１、２）が、前記中間ハウジング（１、２）を前記コネクタ密閉ハウジング（３）内に係合する外部係合手段（１９）を有し、
位置固定要素（５）のためのＣＰＡ受容部材（２３）が、前記係合手段（１９）に内側で接し、
前記コネクタ面（９）と前記ＣＰＡ受容部材（２３）との間に少なくとも１つのコンタクト受容部材（７、７’）が位置し、
前記ＣＰＡ受容部材（２３）内へ導入することができ、前記ＣＰＡ受容部材（２３）内へ完全に導入された位置（２９）でポジティブロックにより前記係合手段（１９）を中間ハウジング（１、２）の後端（１１）でブロックする位置固定要素（５）を有することを特徴とする、中間ハウジング（１、２）。
【請求項２】
前記ＣＰＡ受容部材（２３）は、前記コネクタ面（９）から離れる方を向いている前記中間ハウジング（１、２）の前記後端（１１）の方向に開いていることを特徴とする、請求項１に記載の中間ハウジング（１、２）。
【請求項３】
前記後端（１１）まで延びており、前記係合手段（１９）が撓んだ場合に前記ＣＰＡ受容部材（２３）内へ延びる誤挿入防止タング（２１）を前記係合手段（１９）が有することを特徴とする、請求項１または２に記載の中間ハウジング（１、２）。
【請求項４】
コネクタ密閉ハウジング（３）と、ＣＰＡ受容部材（２３）を含む中間ハウジング（１、２）と、ＣＰＡ受容部材（２３）を含まない中間ハウジング（１’）とを有するプラグ型コネクタシステム（８８）において、ＣＰＡ受容部材（２３）を含む前記中間ハウジング（１、２）およびＣＰＡ受容部材（２３）を含まない前記中間ハウジング（１’）がどちらも、前記コネクタ密閉ハウジング（３）内へ挿入することができるように構築されることを特徴とする、プラグ型コネクタシステム（８８）。
【請求項５】
前記中間ハウジング（１、１’、２）は、その後端（１１）に、前記中間ハウジング（１、１’、２）のコネクタ面（９）に関して設けられるコンタクト受容部材（７）までそれぞれ連続して延びる複数のライン入力（１３、１３’）を有し、ＣＰＡ受容部材（２３）を含まない前記中間ハウジング（１’）は、ＣＰＡ受容部材（２３）を含む前記中間ハウジング（１、２）よりも多い少なくとも１つのライン入力（１３’）を有することを特徴とする、請求項４に記載のプラグ型コネクタシステム（８８）。
【請求項６】
前記ＣＰＡ受容部材（２３）を含む前記中間ハウジング（１、２）と前記ＣＰＡ受容部材（２３）を含まない前記中間ハウジング（１’）とは、同一の数の前記コンタクト受容部材（７、７’）を有することを特徴とする、請求項４または５に記載のプラグ型コネクタシステム（８８）。
【請求項７】
コネクタ密閉ハウジング（３）と、請求項１から４のいずれか一項に記載の中間ハウジング（１、２）とを有するプラグ型コネクタシステム（８８）において、ＣＰＡ受容部材（２３）を含む前記中間ハウジング（１、２）が前記コネクタ密閉ハウジング（３）内に完全に挿入されたとき、前記コネクタ密閉ハウジング（３）の少なくとも１つのコンタクト（３３）は、前記中間ハウジング（１、２）のコンタクト受容部材（７、７’）内へ突出し、前記ＣＰＡ受容部材（２３）と位置合わせされることを特徴とする、プラグ型コネクタシステム（８８）。
【請求項８】
前記中間ハウジング（１、２）の前記ＣＰＡ受容部材（２３）内へ挿入するための位置固定要素（５）が設けられ、前記位置固定要素（５）は、操作側ヘッド（４７）と、前記操作側ヘッド（４７）から離れる方へ実質的に直線的に延びる案内タング（５１）と、前記案内タング（５１）に対して平行に前記操作側ヘッド（４７）から離れる方へ延びる固定タング（４９）とを有することを特徴とする、請求項７に記載のプラグ型コネクタシステム（８８）。
【請求項９】
前記案内タング（５１）および前記固定タング（４９）はそれぞれ、コンタクト（３３）またはコンタクト受容部材（７、７’）と位置合わせされることを特徴とする、請求項８に記載のプラグ型コネクタシステム（８８）。
【請求項１０】
前記プラグ型コネクタシステム（８８）は、操作側ヘッド（４７）から延びる固定タング（４９）を有する位置固定要素（５）を有し、前記固定タング（４９）は、前記操作側ヘッド（４７）から離れる方を向いている端部（５９）に、前記固定タング（４９）を撓ませる起動突起（６３）と、前記中間ハウジング（１、２）上の前記位置固定要素（５）に係合する係合突起（６５）とが２つの異なる方向に延びる固定ヘッド（６１）を有することを特徴とする、請求項７から９のいずれか一項に記載のプラグ型コネクタシステム（８８）。
【請求項１１】
前記起動突起（６３）および前記係合突起（６５）は、前記固定タング（４９）と同じ高さに配置されることを特徴とする、請求項１０に記載のプラグ型コネクタシステム（８８）。
【請求項１２】
前記固定タング（４９）は、前記係合突起（６５）と前記操作側ヘッド（４７）との間に、前記中間ハウジング（１、２）の対向固定要素（７１）を受け取る凹部（６９）を有することを特徴とする、請求項１０または１１に記載のプラグ型コネクタシステム（８８）。
【請求項１３】
前記凹部（６９）により、前記係合突起（６５）の係合面（７３）が形成され、前記係合面（７３）の面法線（６５）は、実質的に前記操作側ヘッド（４７）の方へ誘導されることを特徴とする、請求項１２に記載のプラグ型コネクタシステム（８８）。
【請求項１４】
前記固定タング（４９）の長手方向（６７）において、前記凹部（６９）は、前記起動突起（６３）の高さに少なくとも部分的に配置されることを特徴とする、請求項１３に記載のプラグ型コネクタシステム（８８）。
【発明の詳細な説明】
【技術分野】
【０００１】
本発明は、コネクタ密閉ハウジング内へ導入することができ、コネクタ面を有する中間ハウジングに関し、複数のコンタクト受容部材がコネクタ面に対して開いており、中間ハウジングは、中間ハウジングをコネクタ密閉ハウジング内に係合する外部係合手段を有し、位置固定要素のためのＣＰＡ受容部材が、係合手段に内側で接する。
【０００２】
本発明はさらに、コネクタ密閉ハウジングと、ＣＰＡ受容部材を含む中間ハウジングと、ＣＰＡ受容部材を含まない中間ハウジングとを有するプラグ型コネクタシステムに関する。本発明はさらに、コネクタ密閉ハウジングと、ＣＰＡ受容部材を含む中間ハウジングとを有するプラグ型コネクタシステムに関する。
【背景技術】
【０００３】
上記のタイプの中間ハウジングは、従来技術で知られている。中間ハウジングは、１つもしくは複数のコネクタを受け取るために使用することができ、またはそれ自体がコネクタとなることができる。同様に、密閉ハウジング自体は、ブッシングもしくは嵌合コネクタによって形成することができ、または中間ハウジングに接続するためのブッシングもしくは嵌合コネクタを受け取ることができるカラーもしくはハウジングとすることができる。最終係合位置で密閉ハウジング内に中間ハウジングの確実な設置位置を得るために、中間ハウジングは、コネクタ密閉ハウジングと係合することができる係合手段を有することが多い。係合手段の不注意による解放及びそれによるコネクタ密閉ハウジング内の中間ハウジングの設置位置の損失を防止するために、ＣＰＡ受容部材が、中間ハウジング内の内側で係合手段に接する。この場合、ＣＰＡという略語は、「接続位置決め保証」という一般的に使用される技術用語を表し、すなわち位置固定要素のためのものである。簡潔にするために、それをＣＰＡ受容部材と呼ぶ。
【０００４】
位置固定要素は、係合手段の動きを防止するために、ＣＰＡ受容部材内に挿入することができる。通常、位置固定要素は、中間ハウジングがコネクタ密閉ハウジング内へ完全に挿入されたときのみ、ＣＰＡ受容部材内へ完全に挿入される。位置固定要素は、中間ハウジングがまだコネクタ密閉ハウジング内に完全に挿入されていない場合、ポジティブロック接続によってＣＰＡ受容部材内への挿入を防止する構造をさらに有することができる。コネクタ面の方向に開いている前述のコンタクト受容部材は、コネクタ密閉ハウジングのコンタクトを受け取る働きをする。コンタクト受容部材内で、コネクタ密閉ハウジングのコンタクトは、中間ハウジング内のコンタクトまたはラインに接続することができる。コンタクトは、中間ハウジングがコネクタ密閉ハウジング内に完全に挿入された場合、コンタクト受容部材内へ突出することができる。コンタクトは、好ましくは、ピン状またはソケット状である。
【０００５】
ＣＰＡ受容部材を含む中間ハウジングは、プラグ型接続の信頼性を改善する良好な方法を構成する。しかし、中間ハウジング、またコネクタ密閉ハウジング、および多くの場合、位置固定要素はそれぞれ、特有の適用分野に対して構築されており、通常は異なる構造間の互換性をほとんど許容しないことは不都合である。それによって、不必要な開発および生産コストが生じる可能性がある。
【発明の概要】
【発明が解決しようとする課題】
【０００６】
したがって、本発明の目的は、構成要素の高いレベルの互換性を実現することができ、安価で生産することができる、中間ハウジングおよびプラグ型コネクタシステムを提供することである。
【課題を解決するための手段】
【０００７】
前述の中間ハウジングに対して、本発明による目的は、コネクタ面とＣＰＡ受容部材との間に少なくとも１つのコンタクト受容部材が位置することから実現される。
【０００８】
コネクタ密閉ハウジングと、ＣＰＡ受容部材を含む中間ハウジングと、ＣＰＡ受容部材を含まない中間ハウジングとを有する前述のプラグ型コネクタシステムに対して、本発明による目的は、ＣＰＡ受容部材を含む中間ハウジングおよびＣＰＡ受容部材を含まない中間ハウジングの両方が、コネクタ密閉ハウジング内に挿入することができるように構築されることから実現される。
【０００９】
コネクタ密閉ハウジングと、ＣＰＡ受容部材を含む中間ハウジングと、ＣＰＡ受容部材を含まない中間ハウジングとを有するとはじめに説明したプラグ型コネクタシステムに対して、本発明による目的は、ＣＰＡ受容部材を含む中間ハウジングがコネクタ密閉ハウジング内へ完全に挿入されたとき、コネクタ密閉ハウジングの少なくとも１つのコンタクトが、中間ハウジングのコンタクト受容部材内へ突出し、ＣＰＡ受容部材と位置合わせされることから実現される。
【００１０】
本発明は、この目的を特に有利に実現する。コネクタ面とＣＰＡ受容部材との間にコンタクト受容部材が位置することで、その少なくとも１つのコンタクトとの電気的接続を形成することが意図されていない場合でも、コネクタ密閉ハウジングの少なくとも１つのコンタクトを中間ハウジング内に受け取ることが可能になる。それによって、コネクタ密閉ハウジングは、中間ハウジングがＣＰＡ受容部材を有するかどうか、またはＣＰＡ受容部材の代わりに、コネクタ密閉ハウジングのコンタクトへの接続のためにラインもしくは電気コンタクト素子を有するかどうかとは無関係に存在することができるコンタクトを有することができる。
したがって、本発明による中間ハウジングおよび本発明によるプラグ型コネクタシステムにより、ＣＰＡ受容部材を含む中間ハウジングおよびＣＰＡ受容部材を含まない中間ハウジングに対して同一のコネクタ密閉ハウジングを使用することが可能になる。コネクタ密閉ハウジング内に存在するコンタクトは、中間ハウジング内に挿入された位置固定要素の機能を妨害しない。これにより、最大の柔軟性および互換性が可能になる。本発明による解決策により、ＣＰＡ受容部材を含む中間ハウジングを使用することが意図されているか、それともＣＰＡ受容部材を含まない中間ハウジングを使用することが意図されているかにかかわらず、コネクタ密閉ハウジングが常に同じ構造空間を占めるという利点がさらに得られる。
【００１１】
本発明による解決策は、それぞれ本質的に有利であり、互いに自由に組み合わせることができる様々な実施形態によって、さらに改善することができる。それらの実施形態および関連する利点について、以下に論じる。
【００１２】
本発明による中間ハウジングの第１の有利な実施形態によれば、ＣＰＡ受容部材は、コネクタ面から離れる方を向いている中間ハウジングの後端の方向に開くことができる。したがって、位置固定要素を中間ハウジング内へその後端から特に容易に導入することができる。ＣＰＡ受容部材が、ＣＰＡ受容部材とコネクタ面との間に位置する少なくとも１つのコンタクトチャンバ内へ一体化する場合、特に有利である。このとき、ＣＰＡ受容部材および少なくとも１つのコンタクトチャンバは、共通のチャンバを形成する。それによって、位置固定要素およびコネクタ密閉ハウジングの少なくとも１つのコンタクトに対して十分な空間を形成することが可能になる。
【００１３】
係合手段が撓んだ場合に、ＣＰＡ受容部材内への位置固定要素の挿入を防止するために、係合手段は、誤挿入防止タング(tongue)を有することができ、誤挿入防止タングは、後端まで延びており、係合手段が撓んだ場合にＣＰＡ受容部材内へ入り込む。たとえば、係合手段は、コネクタ密閉ハウジング内への中間ハウジングの挿入中に撓ませることができる。この状態で、ＣＰＡ受容部材内の位置固定要素の挿入を防止することが意図される。係合手段が撓んだ場合、誤挿入防止タングは、ＣＰＡ受容部材内へ入り込み、その結果、ＣＰＡ受容部材内で位置固定要素を挿入することができなくなる。
【００１４】
誤挿入防止タングは、中間ハウジングの後端まで、または後端を越えて延びることができる。誤挿入防止タングは、特に、動きを許容しないように中間ハウジングに接続することができる。好ましくは、誤挿入防止タングは、中間ハウジングと一体形成されており、ＣＰＡ受容部材内へ弾性的に撓むことができる。中間ハウジングを特に小型に構築するために、誤挿入防止タングの自由端を中間ハウジングの後端と位置合わせすることができる。
【００１５】
係合手段は、中間ハウジングの後端から隔置することができる。係合手段は、中間ハウジングの残り部分から離れる方へ誤挿入防止タングから延びる係合突起として構築することができる。誤挿入防止タングを使用して、係合手段を手で撓ませることができる。特に好ましくは、係合手段は、ＣＰＡ受容部材の高さに配置される。この場合、高さは、中間ハウジングの挿入方向もしくは導入方向および／または中間ハウジングの長手方向によって所定の誤挿入防止タングの長手方向で考慮される。
【００１６】
係合手段の動きを防止するために、中間ハウジングは、ＣＰＡ受容部材内へ導入することができる位置固定要素を有することができ、位置固定要素は、ＣＰＡ受容部材内へ完全に導入された位置でポジティブロックにより係合手段を後端でブロックする。係合手段を後端でブロックすることは、それによって中間ハウジングの内側でポジティブロック接続を形成する要素を不要にすることが可能になり、中間ハウジングを小型で構築することができるため、特に有利である。
【００１７】
コネクタ密閉ハウジングと、ＣＰＡ受容部材を含む中間ハウジングと、ＣＰＡ受容部材を含まない中間ハウジングとを有する本発明によるプラグ型コネクタシステムは、第１の有利な実施形態によれば、ＣＰＡ受容部材を含む中間ハウジングが前述の実施形態の１つによって形成される点でさらに改善することができる。
【００１８】
ＣＰＡ受容部材を含む中間ハウジングおよびＣＰＡ受容部材を含まない中間ハウジングはどちらも、コネクタ密閉ハウジングのそれぞれの内部空間を埋めることができる。好ましくは、これらの中間ハウジングは、実質的に同一の外形を有する。特に好ましくは、２つの中間ハウジングは同一の係合手段を有し、これらの係合手段はまた、同一の位置にある。このとき、コネクタ密閉ハウジングは、対向係合手段、たとえば係合手段を受け取る開口を有することができ、この対向係合手段は、両方の中間ハウジングによって使用することができる。
【００１９】
中間ハウジングは、その後端に複数のライン入力を有することができ、複数のライン入力はそれぞれ、コンタクト受容部材まで連続して延び、ＣＰＡ受容部材を含まない中間ハウジングは、ＣＰＡ受容部材を含む中間ハウジングよりも多い少なくとも１つのライン入力を有することができる。したがって、ＣＰＡ受容部材を省いた結果としてＣＰＡ受容部材を含まない中間ハウジング内で自由になる空間は、追加のライン入力を収容するために使用することができる。ライン入力は、コネクタ密閉ハウジングのコンタクトに接続するように構築された電気コンタクト素子を受け取るために使用することができる。
【００２０】
ＣＰＡ受容部材を含む中間ハウジングとＣＰＡ受容部材を含まない中間ハウジングとは、同一の数のコンタクト受容部材を有することができる。それによって、両方の中間ハウジングがコネクタ密閉ハウジングの同じ数のコンタクトを受け取ることが可能になる。ＣＰＡ受容部材を含まない中間ハウジングでは、コンタクト受容部材のすべてをライン入力に接続することができる。しかし、ＣＰＡ受容部材を含む中間ハウジングでは、少なくとも１つのライン入力の位置にＣＰＡ受容部材を配置することができる。
【００２１】
コネクタ密閉ハウジングとＣＰＡ受容部材を含む中間ハウジングとを有するとはじめに説明したプラグ型コネクタシステムはまた、プラグ型コネクタシステムが上記の実施形態の１つによるＣＰＡ受容部材を含む少なくとも１つの中間ハウジングを有する点で改善することができる。
【００２２】
中間ハウジングを特に小型に構成するために、ＣＰＡ受容部材を含む中間ハウジングがコネクタ密閉ハウジング内に完全に挿入されたとき、コネクタ密閉ハウジングの少なくとも１つのコンタクトは、中間ハウジングのコンタクト受容部材内へ突出することができ、ＣＰＡ受容部材と位置合わせすることができる。言わば、ＣＰＡ受容部材は、コンタクト受容部材より上に配置される。このとき、少なくとも１つのコンタクトはまた、ＣＰＡ受容部材内へ導入された位置固定要素と位置合わせされる。
【００２３】
プラグ型コネクタシステムの別の有利な実施形態によれば、中間ハウジングのＣＰＡ受容部材内へ挿入するための位置固定要素を設けることができ、位置固定要素は、操作側ヘッドと、操作側ヘッドから離れる方へ実質的に直線的に延びる案内タングと、案内タングに対して平行に操作側ヘッドから離れる方へ延びる固定タングとを有する。この場合、操作側ヘッドは、手または機械によって作動させることができる押圧面を有する位置固定要素の端部とすることができる。ＣＰＡ受容部材内に挿入された状態で、操作側ヘッドは、中間ハウジングの後端の方へ誘導することができる。
案内タングおよび固定タングは、好ましくは、互いから隔置される。直線的に延びる案内タングは、位置固定要素の所定の挿入方向に位置固定要素を案内するために使用される。固定タングは、中間ハウジング内の位置固定要素に係合するために使用することができる。挿入方向に延びるタングとして構築した結果、位置固定要素を中間ハウジング内へ導入することが可能になり、挿入された状態で、位置固定要素には、中間ハウジングおよび／またはコネクタ密閉ハウジングから横断方向に突出する部分がない。それによって、特に小型のプラグ型コネクタシステムを形成することができる。
【００２４】
ＣＰＡ受容部材内に挿入された状態で、案内タングおよび固定タングはそれぞれ、コネクタ密閉ハウジングのコンタクトまたは中間ハウジングのコンタクト受容部材と位置合わせすることができる。このとき、案内タングおよび固定タングは、好ましくは、ＣＰＡ受容部材を含まない中間ハウジング内でライン入力または電気コンタクト素子が位置するはずの位置にある。この場合、案内タングおよび固定タングは、好ましくは、コネクタ密閉ハウジングのコンタクトから隔置される。
【００２５】
プラグ型コネクタシステムは、操作側ヘッドから延びる固定タングを有する位置固定要素を有することができ、固定タングは、操作側ヘッドから離れる方を向いている端部に固定ヘッドを有し、固定ヘッドから２つの異なる方向に、固定タングを撓ませる起動突起と、中間ハウジング上の位置固定要素に係合する係合突起とが延びる。したがって、単一の固定タングが、固定タングを起動または撓ませる要素と、位置固定要素に係合する係合突起とを有する。それによって、特に小型の位置固定要素を得ることが可能になる。起動突起および係合突起を互いに垂直に配置することが、特に有利である。固定タングを起動または撓ませるために、本発明によるコネクタ密閉ハウジングは、内壁上に起動要素を有することができる。
位置固定要素の起動突起は、コネクタ密閉ハウジング内に挿入された中間ハウジング内へ位置固定要素が挿入されたときに起動要素に当たることができ、それによって撓ませることができる。ＣＰＡ受容部材を含む中間ハウジングは、位置固定要素の挿入方向に対して平行に延びるスロットを有することができ、起動突起は、コネクタ密閉ハウジングの起動要素と相互作用するように、このスロットを通って少なくとも部分的に突出することができる。別法として、コネクタ密閉ハウジングの起動要素が、位置固定要素の起動突起と相互作用するように、スロットを通って中間ハウジング内へ少なくとも部分的に突出することも可能である。
【００２６】
固定タングの撓みまたは起動を使用して、中間ハウジングがコネクタ密閉ハウジング内に完全に配置されているときのみ、ＣＰＡ受容部材内への位置固定要素の挿入を可能にすることができる。この目的で、固定ヘッドは、固定タングが起動突起によって撓んでいない限り、中間ハウジングの対向固定要素の内側に当たることができる。固定タングの撓みは、固定ヘッドを対向固定要素から離れる方へ動かすことができ、その結果、対向固定要素を越えて固定タングを案内することができる。位置固定要素がＣＰＡ受容部材内へ完全に導入されると同時に、中間ハウジングがコネクタ密閉ハウジング内に完全に挿入された場合、同時に中間ハウジングの対向固定要素を使用して、固定タングの係合突起と係合させることができる。
【００２７】
位置固定要素を特に小型に構築するために、または固定タングの長さを小さいままにするために、起動突起および係合突起は、固定タングと同じ高さに配置することができる。
【００２８】
特に確実な小型の位置固定要素を得るために、固定タングは、係合突起と操作側ヘッドとの間に、中間ハウジングの対向固定要素を受け取る凹部を有することができる。位置固定要素がＣＰＡ受容部材内の端位置に配置された場合、凹部および対向固定要素は、同じ高さに位置することができ、したがって、固定タングを弛緩させることができ、対向固定要素は凹部内へ貫入する。
【００２９】
凹部により、係合突起の係合面を形成することができ、係合面の面法線は、実質的に操作側ヘッドの方へ誘導される。係合面は、位置固定要素の端位置でポジティブロックにより対向固定要素に当接することができる。
【００３０】
係合面は、固定タングの長手方向に対して垂直に延びることができる。しかし、係合面はまた、固定タングの長手方向に対して面取りすることができる。たとえば、係合面は、係合タング内へ延び、かつ操作側ヘッドの方向へ上向きに延在することができる。この場合、面法線はまた、起動突起の方向に部分的に誘導することができる。それによって、位置固定要素をＣＰＡ受容部材から引き抜くことをより容易にすることができる。これは、コネクタ密閉ハウジングからの中間ハウジングの頻繁な係合解除が所望される場合、有利になり得る。別法として、係合面が係合タング内へ延び、かつ操作側ヘッドから離れる方へ下降するように延在することも可能である。それによって、フックを形成することが可能になり、それにより中間ハウジングの対向固定要素との特に堅固な係合が可能になる。これは、中間ハウジングをコネクタ密閉ハウジングに一度だけ接続することが意図され、特に堅固な接続を確実にすることが意図される場合、有利になり得る。
【００３１】
固定タングは、固定タングの長手方向において、凹部が起動突起の高さに少なくとも部分的に配置されることから、特に短く構築することができる。
【００３２】
この場合、たとえば、操作側ヘッドの方へ誘導される起動突起の上縁は、凹部と交差する平面に対して平行に延びることができる。この場合、上記の平面は、固定タングの長手方向に対して垂直に延びる。
【００３３】
本発明について、有利な実施形態および図面を参照して、例として以下でより詳細に説明する。したがって、実施形態において例として記載する特徴の組合せは、上記の説明に従って、特有の適用分野に対する追加の特徴によって補足することができる。記載する実施形態内の個々の特徴はまた、特有の適用分野におけるこの特徴の影響が重要でない場合、やはり上記の説明に従って省略することができる。
【００３４】
図面では、同じ機能および／または同じ構造を有する要素に対して、常に同じ参照番号が使用される。
【図面の簡単な説明】
【００３５】
【図１】位置固定要素が挿入された、本発明によるコネクタ密閉ハウジング内の本発明による中間ハウジングの第１の実施形態の断面図である。
【図２】位置固定要素が係合準備位置にある、図１の中間ハウジングの斜視図である。
【図３】図１のコネクタ密閉ハウジングの斜視図である。
【図４】図１の位置固定要素の斜視図である。
【図５−１１】図１〜４に示した本発明によるデバイスの機能を２つの異なる断面で示す図である。
【図１２】中間ハウジングの第１の実施形態の誤挿入防止タングの機能を示す図である。
【図１３】第１の実施形態の中間ハウジングの別の斜視図である。
【図１４】ＣＰＡ受容部材を含まない本発明によるプラグ型コネクタシステムに属する中間ハウジングを示す図である。
【図１５】本発明による、第１の実施形態のコネクタ密閉ハウジングの別の斜視図である。
【図１６】位置固定要素を含む本発明による中間ハウジングの第２の実施形態の２つの異なる斜視図である。
【発明を実施するための形態】
【００３６】
本発明による中間ハウジング１について、図１および図２を参照して以下に説明する。図１は、本発明によるコネクタ密閉ハウジング３内へ完全に挿入された本発明による中間ハウジング１の断面であり、中間ハウジング１は、位置固定要素５を有する。図２は、図１の中間ハウジング１の斜視図であり、位置固定要素５が係合準備位置７９にある。
【００３７】
中間ハウジング１は、コネクタ面９の方向に開いている複数のコンタクト受容部材７を有する。中間ハウジング１は、後端１１に複数のライン入力１３を有する。各ライン入力１３は、好ましくは、コネクタ面９まで連続して実質的に直線的に延びる。この場合、各ライン入力１３は、コンタクト受容部材７まで延びる。ライン入力１３は、中間ハウジング１内でコンタクトピンまたはソケット（図示せず）などの電気コンタクト素子を受け取るために使用することができる。好ましくは、ライン入力１３およびライン入力１３と連続して形成される少なくともコンタクト受容部材７は、互いに対して平行に延びる２つの列１５および１７に配置される。
【００３８】
中間ハウジング１は、外側に位置する係合手段１９を有する。係合手段１９は、中間ハウジング１の残り部分から離れる方へ誘導される。好ましくは、係合手段１９は、弾性的に撓むことができる誤挿入防止タング２１上に配置される。係合手段１９は、誤挿入防止タング２１と一体形成することができる。誤挿入防止タング２１の機能については、図１２を参照して説明する。
【００３９】
内側では、位置固定要素５のためのＣＰＡ受容部材２３が、係合手段１９に接する。ＣＰＡ受容部材２３は、位置固定要素をポジティブロックにより受け取ることができる。本発明によれば、ＣＰＡ受容部材２３は、コネクタ面９とＣＰＡ受容部材２３との間に少なくとも１つのコンタクト受容部材７が位置するように配置されることが提供される。明確さのため、図１では、ＣＰＡ受容部材２３とコネクタ面との間に配置されたコンタクト受容部材７をさらに７’と呼ぶ。
【００４０】
ＣＰＡ受容部材２３は、コネクタ面９から離れる方を向いている中間ハウジング１の後端１１の方向にさらに開くことができる。位置固定要素５はそれによってＣＰＡ受容部材２３内へ後端１１から挿入されることができる。好ましくは、位置固定要素５は、ＣＰＡ受容部材２３内へ導入され、挿入方向Ｅは、コンタクト受容部材７の長手方向Ｌに対して平行に延びる。ライン入力１３はまた、好ましくは、長手方向Ｌに対して平行に延びる。
【００４１】
ＣＰＡ受容部材２３は、ＣＰＡ受容部材２３とコネクタ面９との間に配置されたコンタクト受容部材７’とともに、共通のチャンバ２５を形成することができる。これは、ＣＰＡ受容部材２３および少なくとも１つのコンタクト受容部材７’が互いに一体化することから実現することができる。
【００４２】
誤挿入防止タング２１は、図１に示すように、撓んでいない状態で、挿入方向Ｅに対して実質的に平行に延びる。誤挿入防止タング２１は、中間ハウジング１の後端１１まで延びることができる。誤挿入防止タング２１の自由端２７は、後端１１まで、または後端１１を越えて延びることができる。図示の実施形態では、自由端２７は、中間ハウジング１の後端１１を越えて延びる。係合手段１９の動作はそれによってより容易にすることができる。
【００４３】
誤挿入防止タング２１は、動きを許容しないように中間ハウジング１に接続される。誤挿入防止タング２１がコネクタ面９の領域内で中間ハウジング１の残り部分に一体化する場合、特に有利である。誤挿入防止タング２１および係合手段１９は、好ましくは、中間ハウジング１の残り部分と一体形成される。ＣＰＡ受容部材２３内に位置固定要素５が配置されない場合、誤挿入防止タング２１は、ＣＰＡ受容部材２３内へ延びる。この目的で、そのような状況を示す図１２を参照することができる。ＣＰＡ受容部材２３内へ延びる誤挿入防止タング２１は、ＣＰＡ受容部材２３内への位置固定要素５の挿入をポジティブロックにより防止することができる。係合手段１９は、好ましくは、中間ハウジング１の後端１１から隔置される。これは、図１にはっきりと見ることができる。係合手段１９は、ＣＰＡ受容部材２３の高さに位置することができる。この場合、高さは、長手方向Ｌまたは挿入方向Ｅで考慮される。
【００４４】
ＣＰＡ受容部材２３内へ完全に導入された位置固定要素５は、ポジティブロックにより係合手段１９を後端１１でブロックすることができる。この状況を図１に示す。ＣＰＡ受容部材２３内へ完全に導入された状態にある位置固定要素５の位置２９を、最終係合位置２９とも呼ぶ。最終係合位置２９で、位置固定要素５は、特に係合手段１９の誤挿入防止タング２１とのポジティブロック接続によって、係合手段１９の撓みを阻止する。
【００４５】
係合手段１９自体は、コネクタ密閉ハウジング３内で中間ハウジング１の位置を固定するように構築される。中間ハウジング１がコネクタ密閉ハウジング３内に完全に挿入された場合、係合手段１９は、コネクタ密閉ハウジング３内で中間ハウジング１の位置を固定することができる。中間ハウジング１の残り部分の方への係合手段１９の撓みは、コネクタ密閉ハウジング３内で中間ハウジング１の係合解除に帰着することができる。すでに上述したように、係合手段１９と位置固定要素５との間のポジティブロック接続は、係合手段１９の望ましくない解放を防止する働きをする。
【００４６】
中間ハウジング１とコネクタ密閉ハウジング３との間で確実な接続を実現するために、コネクタ密閉ハウジング３は、中に係合手段１９が貫通できる係合開口３１を有することもある。
【００４７】
中間ハウジング１は、外側に位置しコネクタ面９で開口する案内チャネル４６を有することもある。案内チャネル４６は、コネクタ密閉ハウジング３内への中間ハウジング１の導入の間にコネクタ密閉ハウジング３の起動要素４３を越えて案内するために、または導入が阻止されることなく起動要素４３を通過することを可能にするために使用されうる。案内チャネル４６の領域内には、ＣＰＡ受容部材２３を案内チャネル４６に対して開くスロット８５を設けることもある。
【００４８】
本発明によるコネクタ密閉ハウジング３、および本発明による中間ハウジング１との協働について、図１および図３を参照して以下に説明する。コネクタ密閉ハウジング３は、複数のコンタクト３３を有することもある。コンタクト３３は、たとえば、ピン状またはソケット状に構築することができる。図１には、１つのコンタクト３３のみを完全に示す。明確さのため、追加のコンタクト３３は図１から省略した。コンタクト３３は、好ましくは、コネクタ密閉ハウジング３の内部空間Ｉ内へ細長く延びる。コンタクト３３は、中間ハウジング１のライン入力１３および／またはコンタクト受容部材７、７’内に位置する電気コンタクト素子（図示せず）に対する導電性接続を生じさせるために特に使用される。
【００４９】
中間ハウジング１が、図１に示すように、コネクタハウジング３内に完全に挿入された場合、コンタクト３３は、中間ハウジング１のコンタクト受容部材７、７’内へ延びる。コンタクト受容部材７の領域内で、中間ハウジング１の電気コンタクト素子との導電性接続を生じさせることができる。本発明による中間ハウジング１の構造により、位置固定要素５の機能が妨げられることなく、コネクタ密閉ハウジング３の少なくとも１つのコンタクト３３をコンタクト受容部材７’内に受け取ることが可能になる。
【００５０】
コンタクト受容部材７内へ突出する少なくとも１つのコンタクト３３は、必ずしも電気的に接触する必要はない。コンタクト受容部材７’内に受け取られた少なくとも１つのコンタクト３３は、ＣＰＡ受容部材２３と位置合わせすることもある。前述したように、第１の実施形態の中間ハウジング１は、ライン入力１３およびコンタクト受容部材７、７’の２つの平行な列１５および１７を有する。したがって、コネクタ密閉ハウジング３の２つのコンタクト３３は、挿入された状態で、ＣＰＡ受容部材２３とコネクタ面９との間に位置することもある。この目的で、中間ハウジング１は、コンタクトを受け取るための２つの個々のコンタクト受容部材７’、または２つの列１５および１７に対して連続して横断方向に延び、２つのコンタクト３３を受け取るのに適した１つの共通のコンタクト受容部材７’のいずれかを有することもある。
【００５１】
コネクタ密閉ハウジング３は、前述した係合開口３１を短手面３５に有することもある。係合開口３１は、中間ハウジング１の係合突起１９を受け取る働きをする。コネクタ密閉ハウジング３は、入力開口３７を有する。中間ハウジング１は、入力開口３７内へ挿入方向Ｅに対して平行に導入されることができる。図示の第１の実施形態では、位置固定要素５および中間ハウジング１の挿入方向Ｅは、互いに対して平行であり、したがって単一の挿入方向Ｅが使用される。係合開口３１は、好ましくは、挿入方向Ｅにおいてコネクタ密閉ハウジング３の上側１／３部分３９に配置される。上側１／３部分３９は、入力開口３７を有する側に位置する。長手面４１では、長手面４１の内壁４５からコネクタ密閉ハウジング３の内側Ｉ内へ突出する起動要素４３が位置する。起動要素４３はまた、好ましくは、コネクタ密閉ハウジング３の上側１／３部分３９内に位置する。起動要素４３は、実質的に係合開口３１の高さに位置することができる。コネクタ密閉ハウジング３内への中間ハウジング１の挿入が起動要素４３によって妨害されないように、中間ハウジング１は、挿入方向Ｅに対して平行に延びてコネクタ面９の方向に開き、それを介して起動要素４３を動かすことができる外部案内チャネル４６を有することもある。案内チャネル４６を図２に示す。
【００５２】
本発明による位置固定要素５の構造について、図４を参照して以下に説明する。図１を参照して前述したように、位置固定要素５は、中間ハウジング１のＣＰＡ受容部材２３内への導入のために使用される。この場合、好ましくは、位置固定要素５は、ＣＰＡ受容部材２３内へ挿入方向Ｅに挿入することができる。位置固定要素５は、操作側ヘッド４７を有する。操作側ヘッド４７から固定タング４９が延びる。位置固定要素５は、また操作側ヘッド４７から延びる案内タング５１をさらに有することもある。固定タング４９および案内タング５１は、好ましくは、互いに対して平行に延び、したがって、ＣＰＡ受容部材２３内へ挿入するための位置固定要素５に対する挿入方向Ｅを事前に決定する。固定タング４９および案内タング５１は、互いから隔置される。
【００５３】
操作側ヘッド４７は、手または機械によって動作または作動させるために使用することができる。操作側ヘッド４７が平面の押圧面５３を有する場合、特に有利である。押圧面５３を押すことによって、位置固定要素５を挿入方向Ｅに動かすことができる。ＣＰＡ受容部材２３内に挿入された状態２９（図１参照）で、操作側ヘッド４７は、後端１１の方へ誘導され、または挿入方向Ｅとは反対に後端１１から突出して中間ハウジング１を出る。操作側ヘッド４７には、案内タングに対して垂直に延び、位置固定要素５を挿入方向Ｅとは反対に中間ハウジング１から引き抜くことをより容易にできる把持突起５５をさらに設けることができる。別法として、位置固定要素５はまた、位置固定要素５を挿入方向Ｅとは反対に引っ張ることをより容易にする他の要素を有することもある。たとえば、単一の把持突起５５のみを設けることもある。操作側ヘッド４７上には、ポジティブロック突起５７を配置することができる。ポジティブロック突起５７は、操作側ヘッド４７に対して垂直に挿入方向Ｅへ突出することができる。図１は、ポジティブロック突起５７が、係合手段１９とのポジティブロック接続を形成できる部材とすることもあることを示す。好ましくは、ポジティブロック突起５７は、把持突起５５から挿入方向Ｅに突出する。ポジティブロック突起５７は、２つの把持突起５５間の中心に配置することもある。
【００５４】
固定タング４９は、操作側ヘッド４７から離れる方を向いている固定ヘッド６１を、その端部５９に有することもある。起動突起６３および係合突起６５が、固定ヘッド６１から２つの異なる方向に延びることができる。起動突起６３は、固定タング４９を撓ませる働きをする。起動突起６３は、コネクタ密閉ハウジング３の起動要素４３を越えて摺動したとき、コネクタ密閉ハウジング３の内側Ｉの方向に撓むことができる。案内タング５１を有する図４の実施形態では、したがって、固定タング４９は、案内タング５１の方向に撓むことができる。係合突起６５は、位置固定要素５を中間ハウジング１と係合させるために使用することができる。起動突起６３および係合突起６５の機能について、図５〜１１を参照して説明する。
【００５５】
起動突起６３および係合突起６５は、好ましくは、互いに対して垂直に延び、固定タングの長手方向６７から離れる方へ実質的に垂直に延びる。長手方向６７は、好ましくは、挿入方向Ｅに対して平行であり、位置固定要素５がＣＰＡ受容部材２３内に挿入された状態２９では、コンタクト受容部材７の長手方向Ｌに対して平行である。案内タング５１は、好ましくは、平面の断面を有する。しかし、案内タング５１はまた、丸い断面、正方形の断面、または任意の他の適した断面を有することもできる。案内タング５１は、好ましくは、案内タング５１から突出するいかなる要素も有していない。
【００５６】
好ましくは、起動突起６３および係合突起６５は、固定タング４９の長手方向６７において同じ高さに少なくとも部分的に配置される。固定タング４９は、係合突起６５と操作側ヘッド４７との間に、中間ハウジング１の対向固定要素７１を受け取る凹部６９を有する。
【００５７】
凹部６９によって、中間ハウジング１の対向固定要素７１とのポジティブロック接続を形成することができる係合面７３が形成される。係合面７３の面法線７５は、実質的に操作側ヘッド４７の方向に誘導される。好ましい実施形態では、しかし、面法線７５は、固定タング４９の長手方向６７に対して平行に延びない。面法線７５は、操作側ヘッド４７の方向および起動突起６３の方向に誘導される。それによって、係合面７３は、また図７、図９、および図１１に示すように面取りされる。長手方向６７において、凹部６９は、少なくとも部分的に起動突起６３の高さにある。したがって、凹部６９および起動突起６３の少なくとも１つの上面７７は、長手方向６７に対して横断方向に互いに重なることができる。起動突起６３、係合突起６５、および凹部６９に関して説明したように配置した結果、特に小型の位置固定要素５を得ることが可能になる。係合および起動の機能は、長手方向６７に対して実質的に横断方向に互いに隣接して配置され、したがって、固定タング４９は、短い構造形態を有することができる。案内タング５１は、好ましくは、固定タング４９と実質的に同じ長さである。
【００５８】
中間ハウジング１をコネクタ密閉ハウジング３内で固定する本発明による位置固定要素５の機能について、以下に説明する。この場合、図５は、位置固定要素５、本発明による中間ハウジング１の後端１１、およびその上側１／３部分３９内のコネクタ密閉ハウジング３の断面Ａ−ＡおよびＢ−Ｂを示す。この場合、断面Ａ−Ａは、位置固定要素５の固定タング４９の係合突起６５を通って実質的に延び、断面Ｂ−Ｂは、位置固定要素５の起動突起６３を通って延びる。図６および図７はどちらも、コネクタ密閉ハウジング３なしで中間ハウジング１内の位置固定要素５の係合準備位置７９の断面を示し、図８および図９は、コネクタ密閉ハウジング３内へ挿入された中間ハウジング１を示し、図１０および図１１はどちらも、位置固定要素５が最終係合位置２９にある断面を示す。
【００５９】
図２に示す状況に対応する係合準備位置７９で、位置固定要素５は、ＣＰＡ受容部材２３内へ部分的に挿入される。この場合、案内タング５１は、ＣＰＡ受容部材２３の内壁８１に沿って案内することができる。さらに、案内タング５１は、ＣＰＡ受容部材２３内で内壁８１と案内要素８３との間に配置することができ、それによって案内することができる。案内要素８３は、挿入方向Ｅに延びることができ、そのため、案内タング５１を案内することができる。係合準備位置７９では、起動突起６３を中間ハウジング１のスロット８５内に受け取ることができ、そのため、固定タング４９は撓まない。スロット８５は、中間ハウジング１内で挿入方向Ｅに対して平行に延びることができ、ＣＰＡ受容部材２３を外向き方向に解放することができる。特に、スロット８５は、ＣＰＡ受容部材２３を案内チャネル４６の方へ開くことができる。
【００６０】
ＣＰＡ受容部材２３内の対向固定要素７１は、固定ヘッド６１または固定突起６５とのポジティブロック接続の結果、挿入方向Ｅにおける位置固定要素５のさらなる挿入を防止する。それによって、中間ハウジング１がコネクタ密閉ハウジング３内へ完全に挿入されていない間、位置固定要素５をＣＰＡ受容部材２３内へ完全に挿入することができないことを確実にすることができる。起動突起６３と、挿入方向Ｅとは反対にスロット８５を区切る中間ハウジング１の内壁８７との間の追加のポジティブロック接続の結果、位置固定要素５は、中間ハウジング１からの落下または解放を防止するように固定される。この係合準備位置７９で、たとえば、本発明による中間ハウジング１に位置固定要素５を供給することができる。
【００６１】
図８および図９は、コネクタ密閉ハウジング３内へ完全に挿入された中間ハウジング１を示す。この完全に挿入された状態で、コネクタ密閉ハウジング３の起動要素４３は、起動突起６３が起動要素４３から離れる方へ動かされるのに十分なほど遠くまで、スロット８５内へ突出する。それによって、固定タング４９は、案内タング５１の方向に撓む。固定タング４９の撓みは、固定ヘッド６１を対向固定要素７１から離れる動きをもたらす。それによって、ポジティブロック接続が除去され、位置固定要素５は、挿入方向Ｅにブロックされなくなる。したがって、ＣＰＡ受容部材２３内への位置固定要素５の挿入をここで実施することができる。
【００６２】
図１０および図１１は、ＣＰＡ受容部材２３内へ完全に挿入された位置固定要素５を示す。したがって、位置固定要素５は、最終係合位置２９に位置する。最終係合位置２９で、起動突起６３は起動要素４３を越えており、固定タング４９はもはや撓まなくなる。もはや撓まなくなった状態で、対向固定要素７１は、固定タング４９の受容部材６９内へ突出する。この場合、係合突起６５は、係合面７３を伴う対向固定要素７１にポジティブロックにより当接する。
【００６３】
図１３は、図１〜１２を参照して説明したように、ＣＰＡ受容部材２３を含む本発明による中間ハウジング１を示す。単なる例として、ＣＰＡ受容部材２３内に位置固定要素５が挿入される。図１４は、ＣＰＡ受容部材を含まない本発明による中間ハウジング１’を示す。図１５は、第１の実施形態を参照して説明したものに対応する本発明によるコネクタ密閉ハウジングを示す。ＣＰＡ受容部材２３を含む中間ハウジング１、ＣＰＡ受容部材を含まない中間ハウジング１’、およびコネクタ密閉ハウジング３は、本発明によるプラグ型コネクタシステム８８をともに形成する。中間ハウジング１および中間ハウジング１’はどちらも、コネクタ密閉ハウジング３内へ挿入することができる。中間ハウジング１および１’は、好ましくは、少なくともコネクタ面９、９’の領域内で、同一の外形を有する。中間ハウジング１および１’はどちらも、案内チャネル４６を有し、案内チャネル４６によって起動要素４３を案内することができる。しかし、中間ハウジング１のみが、ＣＰＡ受容部材２３に対して案内チャネル４６を開くスロット８５を有する。
【００６４】
中間ハウジング１および１’は、好ましくは、同一の係合手段１９を有する。係合手段１９は、厳密に同一である必要はないが、どちらもコネクタ密閉ハウジング３の係合開口３１と係合するように構築される場合、有利である。したがって、両方の中間ハウジング１および１’を本発明によるコネクタ密閉ハウジング３とともに使用することができ、中間ハウジング１、１’がＣＰＡ受容部材２３を有するか否かに応じてコネクタ密閉ハウジング３の再構成は必要ない。
【００６５】
中間ハウジング１は、複数のライン入力１３をその後端１１に有し、中間ハウジング１’は、対応するライン入力１３’を有する。ＣＰＡ受容部材を含まない中間ハウジング１’は、中間ハウジング１よりも多い少なくとも１つのライン入力１３’を有する。単なる例として、図示の実施形態では、中間ハウジング１内より２つ多いライン入力１３’が存在する。中間ハウジング１’の場合に、係合手段１９に最も近いライン入力１３’が位置する場所で、中間ハウジング１内にはＣＰＡ受容部材２３が位置する。したがって、中間ハウジング１は、中間ハウジング１’より少ないライン入力１３を有する。したがって、ＣＰＡ受容部材２３は、ライン入力１３を犠牲にして中間ハウジング１内に形成される。それによって、中間ハウジング１の構造空間を中間ハウジング１’の構造空間と実質的に同一にすることもある。コネクタ密閉ハウジング３は、ＣＰＡ受容部材２３を含む中間ハウジング１を使用することが意図されているか、それともＣＰＡ受容部材を含まない中間ハウジング１’を使用することが意図されているかにかかわらず、常に同じ形状とすることができる。
【００６６】
コネクタ密閉ハウジング３は、たとえば、使用される中間ハウジング１、１’にかかわらず、同じ数のコンタクト３３を有することもある。同様に、両方の中間ハウジング１および１’は、同一の数のコンタクト受容部材７を有することができる。たとえば、中間ハウジング１’内のライン入力１３’の数に対応するコンタクト３３の数がコネクタ密閉ハウジング３内で使用される場合、コンタクト３３はそれぞれ、中間ハウジング１’内のライン入力１３’を介して電気的に接続することができる。しかし、ＣＰＡ受容部材２３を含む本発明による中間ハウジング１がコネクタ密閉ハウジング３内へ挿入された場合、少なくとも１つのコンタクト受容部材７’はライン入力１３に接続されておらず、代わりにＣＰＡ受容部材２３とコネクタ面９との間に配置されるため、少なくとも１つのコンタクト受容部材７’内へ突出する少なくともコンタクト３３とのコンタクトは形成されない。図１を参照して前述したように、位置固定要素５の機能は、コンタクト受容部材７’内に少なくとも１つのコンタクト３３を受け取ることによって妨害されない。
【００６７】
本発明による中間ハウジング２の第２の実施形態について、図１６を参照して以下に説明する。図１６は、明確さのため、本発明による中間ハウジング２の２つの異なる斜視図を示す。中間ハウジング２は、複数のコンタクト受容部材７を有する。コンタクト受容部材７は、コネクタ面９に対して開いている。中間ハウジング２は、中間ハウジング２の後端１１の方へ開いているＣＰＡ受容部材２３を有する。中間ハウジング２の場合、係合タング８９を有する位置固定要素５が設けられ、係合タング８９からは、係合手段９１が挿入方向Ｅに対して横断方向に突出する。係合タング８９は、中間ハウジング２の長手面９３に対して垂直に撓むことができる。係合タング８９に対する受容部材９５とコネクタ面９との間に、コンタクト受容部材７’が配置される。中間ハウジング２の構造形態を小さいままにし、中間ハウジング２が、ＣＰＡ受容部材２３を含む場合とＣＰＡ受容部材２３を含まない場合との両方で、同じ寸法を有することを可能にするために、中間ハウジング２は、長手面９３に対して平行でありかつ挿入方向Ｅに対して垂直である一定の幅９７を有する。中間ハウジング２は、位置固定要素５の操作側ヘッド４７を受け取るために、後端１１のみで広くなっている。しかし、これは、コネクタ密閉ハウジング３（図示せず）内へ挿入されない領域である。
【符号の説明】
【００６８】
１、１’  中間ハウジング
２  中間ハウジング
３  コネクタ密閉ハウジング
５  位置固定要素
７、７’  コンタクト受容部材
９、９’  コネクタ面
１１  後端
１３、１３’  ライン入力
１５  列
１７  列
１９  係合手段
２１  誤挿入防止タング
２３  ＣＰＡ受容部材
２５  チャンバ
２７  自由端
２９  最終係合位置
３１  係合開口
３３  コンタクト
３５  短手面
３７  入力開口
３９  上側１／３部分
４１  長手面
４３  起動要素
４５  内壁
４６  案内チャネル
４７  操作側ヘッド
４９  固定タング
５１  案内タング
５３  押圧面
５５  把持突起
５７  ポジティブロック突起
５９  固定タングの端部
６１  固定ヘッド
６３  起動突起
６５  係合突起
６７  長手方向
６９  凹部
７１  対向固定要素
７３  係合面
７５  面法線
７７  上面
７９  係合準備位置
８１  内壁
８３  案内要素
８５  スロット
８７  内壁
８８  プラグ型コネクタシステム
８９  係合タング
９１  係合手段
９３  長手面
９５  係合タングに対する受容部材
Ｅ  挿入方向
Ｌ  長手方向
Ｉ  内側
【図１】
0006500112.tif 000002
【図２】
0006500112.tif 000003
【図３】
0006500112.tif 000004
【図４】
0006500112.tif 000005
【図５】
0006500112.tif 000006
【図６】
0006500112.tif 000007
【図７】
0006500112.tif 000008
【図８】
0006500112.tif 000009
【図９】
0006500112.tif 000010
【図１０】
0006500112.tif 000011
【図１１】
0006500112.tif 000012
【図１２】
0006500112.tif 000013
【図１３】
0006500112.tif 000014
【図１４】
0006500112.tif 000015
【図１５】
0006500112.tif 000016
【図１６】
0006500112.tif 000017